(57)【要約】【課題】汚れの付着等が原因となって反射率が低下した箇所を再生するときにも、ＤＰＤ信号の信号品質の低下を防止する。【解決手段】受光素子５の４つの領域のそれぞれに対応するゲイン可変アンプ１Ａ〜１Ｄと、ゲイン可変アンプ１Ａ〜１Ｄの出力を２値化する２値化回路２Ａ〜２Ｄと、２値化回路２Ａ，２Ｂの出力の位相差を検出する第１の位相比較回路１１と、２値化回路２Ｃ，２Ｄの出力の位相差を検出する第２の位相比較回路１２と、加算回路１３とを備えた構成において、ゲイン可変アンプ１Ａ〜１Ｄに入力される信号レベルが小さくなるときにはゲイン可変アンプ１Ａ〜１Ｄのゲインを大きくするゲイン制御部４を備えている。【選択図】  図１
2007018640.tif 000002
【特許請求の範囲】
【請求項１】
受光領域が光ディスクのトラック方向を示すトラック方向軸とこのトラック方向軸に直交する軸とによって４つの領域に分割された受光素子と、
４つの領域のそれぞれに対応して設けられ、４つの領域のそれぞれの出力信号を増幅するアンプと、
４つの領域のそれぞれに対応して設けられ、前記アンプの出力を２値化して得られた２値化信号を出力する２値化回路と、
４つの領域のうち、トラック方向軸に対して一方の側に位置する２つの領域の２値化信号の位相差を検出する第１の位相比較回路と、
４つの領域のうち、トラック方向軸に対して他方の側に位置する２つの領域の２値化信号の位相差を検出する第２の位相比較回路と、
第１の位相比較回路の検出結果と第２の位相比較回路の検出結果とを加算して得られた信号をトラッキングエラー信号として出力する加算回路とを備えたＤＰＤ信号生成装置において、
前記アンプをゲインが可変なゲイン可変アンプとし、
４つの領域の出力を加算して得られたＲＦ信号のレベルが小さくなるときにはゲイン可変アンプのゲインを大きくするゲイン制御部を備えたことを特徴とするＤＰＤ信号生成装置。
【請求項２】
受光領域が光ディスクのトラック方向を示すトラック方向軸とこのトラック方向軸に直交する軸とによって４つの領域に分割された受光素子と、
４つの領域のそれぞれに対応して設けられ、４つの領域のそれぞれの出力信号を増幅するアンプと、
４つの領域のそれぞれに対応して設けられ、前記アンプの出力を２値化して得られた２値化信号を出力する２値化回路と、
４つの領域のうち、トラック方向軸に対して一方の側に位置する２つの領域の２値化信号の位相差を検出する第１の位相比較回路と、
４つの領域のうち、トラック方向軸に対して他方の側に位置する２つの領域の２値化信号の位相差を検出する第２の位相比較回路と、
第１の位相比較回路の検出結果と第２の位相比較回路の検出結果とを加算して得られた信号をトラッキングエラー信号として出力する加算回路とを備えたＤＰＤ信号生成装置において、
前記アンプをゲインが可変なゲイン可変アンプとし、
ゲイン可変アンプに入力される信号レベルが小さくなるときにはゲイン可変アンプのゲインを大きくするゲイン制御部を備えたことを特徴とするＤＰＤ信号生成装置。
【請求項３】
ゲイン制御部は、ゲイン可変アンプのそれぞれに入力される信号レベルに基づいてゲイン可変アンプのそれぞれのゲインを制御することを特徴とする請求項２に記載のＤＰＤ信号生成装置。
【発明の詳細な説明】
【技術分野】
【０００１】
本発明は、受光素子の出力を増幅して２値化回路に送出するアンプをゲインが可変なゲイン可変アンプとし、ゲイン可変アンプに入力される信号レベルが小さくなるときにはゲイン可変アンプのゲインを大きくするＤＰＤ信号生成装置に関するものである。
【背景技術】
【０００２】
ＤＶＤ等の光ディスクの再生を行うときに必要とするトラッキングエラー信号を生成する方法の１つにＤＰＤ（Ｄｉｆｆｅｒｅｎｔｉａｌ  Ｐｈａｓｅ  Ｄｅｔｅｃｔｉｏｎ）方式がある（第１の従来技術とする）。この方式では、図８に示したように、受光素子（ＰＤＩＣ）５のＡ〜Ｄの各領域の出力を、所定の通過特性を有するイコライザ９１Ａ〜９１Ｄを用いて増幅した後、２値化回路２Ａ〜２Ｄを用いて２値化している。そして、領域Ａの出力を２値化した信号と領域Ｂの出力を２値化した信号との位相の差異を位相比較回路１１を用いて検出している。また、領域Ｃの出力を２値化した信号と領域Ｄの出力を２値化した信号との位相の差異を位相比較回路１２を用いて検出している。そして、位相比較回路１１の出力と位相比較回路１２の出力とを加算して得られた信号から、ローパスフィルタ１４を用いて、不要な高周波成分を除去した信号であるＤＰＤ信号を、トラッキングのエラー量を示す信号として、図示されないサーボ制御回路に出力している（例えば、特許文献１参照）。
【０００３】
また、特許文献１においては、以下に示す技術も提案されている（第２の従来技術とする）。すなわち、この技術では、図９に示したように、領域Ａ〜Ｄの各出力に対して、領域Ａ〜Ｄの出力レベルが変化するときにも、振幅を一定に維持するＡＧＣ回路（レベル検出回路とゲイン可変アンプとにより構成される）を設けている。また、ＡＧＣ回路の出力から、ハイパスフィルタを用いて直流成分を除去している。そして、振幅が一定で直流成分が除去された４つの出力のうち、領域Ａの出力と領域Ｃの出力とを乗算している。また、領域Ｂの出力と領域Ｄの出力とを乗算している。そして、領域Ａの出力と領域Ｃの出力との乗算結果と、領域Ｂの出力と領域Ｄの出力との乗算結果を加算して得られた信号から、ローパスフィルタを用いて、不要な高周波成分を除去することにより、ＤＰＤ信号を得ている。
【特許文献１】特開２００４−８７０４６号公報
【発明の開示】
【発明が解決しようとする課題】
【０００４】
しかしながら、第１の従来技術を用いる場合には、以下に示す問題を生じていた。すなわち、指紋等の汚れが付着したために反射率が低くなった箇所では、反射光の強度が弱くなって受光素子の出力レベルが低くなり、２値化回路２Ａ〜２Ｄに入力される信号のレベルが小さくなる。一方、２値化回路２Ａ〜２Ｄの特性として、入力される信号のレベルが小さくなると、シンメトリのずれ等が生じ、スライスレベルが適切に維持されなくなって、２値化におけるレベル変化のタイミングに乱れが生じる。つまり、２値化信号の信号品質が悪化する。従って、情報記録面に指紋等の汚れが付着したＤＶＤが再生対象となる場合、再生位置が汚れの付着した箇所になると、イコライザの出力レベルが小さくなって、ＤＰＤ信号（トラッキングエラー信号）の信号品質が低下する。このため、汚れが付着した箇所ではトラック外れが生じ易くなっていた。また、汚れの付着箇所をシークするときでは、シーク性能が低下するという事態を生じることもあった。
【０００５】
なお、イコライザを、増幅率が可変な構成とし、ＤＶＤが交換されたときの初期設定において、受光素子の出力レベルに基づき、イコライザの増幅率を、情報の記録面の反射率に最適な値とする構成も提案されているが、この構成では、イコライザの増幅率は、初期設定時の増幅率を維持するようになっている。このため、汚れが付着した箇所の再生となるときでは、イコライザの出力レベルが小さくなるため、上記と同様に、ＤＰＤ信号の信号品質が低下し、トラック外れが生じ易くなっていた。また、シーク性能が低下するという事態を生じることもあった。
【０００６】
第２の従来技術において用いられた演算は、乗算器に入力される信号の振幅が、常に同じ振幅に維持されることを前提とした演算方法となっており、乗算器に入力される信号振幅の変動は、直ちに、ＤＰＤ信号の誤差として現れる。つまり、レベル検出回路とゲイン可変アンプからなるＡＧＣ回路は、演算における演算回路のひとつとして機能するようになっている。すなわち、第２の従来技術は、位相比較を行うことによってＤＰＤ信号を得る構成から見る場合では、前提となる構成が異なる技術となっている。このため、第１の従来技術において生じた問題、すなわち、位相比較によってＤＰＤ信号を得る構成を用いる場合において、汚れの付着箇所を再生するときでは、ＤＰＤ信号の精度が低下し、トラック外れが生じ易くなる、という問題を解決する観点からは、適用することが困難な技術となっている。
【０００７】
本発明は、上記の問題点を解決するため創案されたものであり、その目的は、汚れの付着等が原因となって反射率が低下した箇所を再生するときにも、ＤＰＤ信号の信号品質の低下を防止することのでき、且つ、反射率が低下した箇所を再生するときのＤＰＤ信号の信号品質の低下を防止するときにも、回路規模の増大を抑制することのできるＤＰＤ信号生成装置を提供することにある。
【０００８】
また本発明の目的は、受光素子の出力を増幅して２値化回路に送出するアンプをゲインが可変なゲイン可変アンプとし、ゲイン可変アンプに入力される信号レベルが小さくなるときにはゲイン可変アンプのゲインを大きくすることにより、汚れの付着等が原因となって反射率が低下した箇所を再生するときにも、ＤＰＤ信号の信号品質の低下を防止することのできるＤＰＤ信号生成装置を提供することにある。
【０００９】
また、上記目的に加え、それぞれに入力される信号レベルに基づいてゲイン可変アンプのそれぞれのゲインを制御することにより、対物レンズのシフトが生じ、ビームスポットがトラックからずれたことが原因となって、トラック軸を挟んで一方の側に位置する領域の出力レベルが小さくなるときにも、ＤＰＤ信号の信号品質の低下を防止することのできるＤＰＤ信号生成装置を提供することにある。
【課題を解決するための手段】
【００１０】
上記の課題を解決するため、本発明に係るＤＰＤ信号生成装置は、受光領域が光ディスクのトラック方向を示すトラック方向軸とこのトラック方向軸に直交する軸とによって４つの領域に分割された受光素子と、４つの領域のそれぞれに対応して設けられ、４つの領域のそれぞれの出力信号を増幅するアンプと、４つの領域のそれぞれに対応して設けられ、前記アンプの出力を２値化して得られた２値化信号を出力する２値化回路と、４つの領域のうち、トラック方向軸に対して一方の側に位置する２つの領域の２値化信号の位相差を検出する第１の位相比較回路と、４つの領域のうち、トラック方向軸に対して他方の側に位置する２つの領域の２値化信号の位相差を検出する第２の位相比較回路と、第１の位相比較回路の検出結果と第２の位相比較回路の検出結果とを加算して得られた信号をトラッキングエラー信号として出力する加算回路とを備えたＤＰＤ信号生成装置に適用している。そして、前記アンプをゲインが可変なゲイン可変アンプとし、４つの領域の出力を加算して得られたＲＦ信号のレベルが小さくなるときにはゲイン可変アンプのゲインを大きくするゲイン制御部を備えている。
【００１１】
すなわち、光ディスクにおける再生位置が、反射率が低い箇所となるときでは、受光素子の出力レベルが小さくなるため、ゲイン可変アンプに入力される信号レベルは小さい。しかし、このときでは、ＲＦ信号のレベルも小さくなるので、ゲイン可変アンプのゲインは大きくなる。従って、ゲイン可変アンプから２値化回路に送出される信号は、２値化回路が精度よく２値化を行うのに必要なレベルの信号となる。また、ゲイン制御部は、ＲＦ信号のレベルを検出するのみで、上記した制御を行うことができる。
【００１２】
また本発明に係るＤＰＤ信号生成装置は、受光領域が光ディスクのトラック方向を示すトラック方向軸とこのトラック方向軸に直交する軸とによって４つの領域に分割された受光素子と、４つの領域のそれぞれに対応して設けられ、４つの領域のそれぞれの出力信号を増幅するアンプと、４つの領域のそれぞれに対応して設けられ、前記アンプの出力を２値化して得られた２値化信号を出力する２値化回路と、４つの領域のうち、トラック方向軸に対して一方の側に位置する２つの領域の２値化信号の位相差を検出する第１の位相比較回路と、４つの領域のうち、トラック方向軸に対して他方の側に位置する２つの領域の２値化信号の位相差を検出する第２の位相比較回路と、第１の位相比較回路の検出結果と第２の位相比較回路の検出結果とを加算して得られた信号をトラッキングエラー信号として出力する加算回路とを備えたＤＰＤ信号生成装置に適用している。そして、前記アンプをゲインが可変なゲイン可変アンプとし、ゲイン可変アンプに入力される信号レベルが小さくなるときにはゲイン可変アンプのゲインを大きくするゲイン制御部を備えている。
【００１３】
すなわち、光ディスクにおける再生位置が、反射率が低い箇所となるときでは、受光素子の出力レベルが小さくなるため、ゲイン可変アンプに入力される信号レベルは小さくなる。従って、このときでは、ゲイン制御部は、ゲイン可変アンプのゲインを大きくする。このため、ゲイン可変アンプから２値化回路に送出される信号は、２値化回路が精度よく２値化を行うのに必要なレベルの信号となる。
【００１４】
また、上記構成に加え、ゲイン制御部は、ゲイン可変アンプのそれぞれに入力される信号レベルに基づいてゲイン可変アンプのそれぞれのゲインを制御するようになっている。すなわち、対物レンズのシフトが生じ、ビームスポットがトラックからずれたことが原因となって、トラック軸を挟んで一方の側に位置する領域の出力レベルが小さくなったときでは、前記領域に対応するゲイン可変アンプのゲインが高くなるように制御される。従って、ゲイン可変アンプの出力を２値化する２値化回路においては、精度のよい２値化が行われる。
【発明の効果】
【００１５】
本発明によれば、光ディスクの反射率の低い箇所を再生する場合、ＲＦ信号のレベルが小さくなるので、ゲイン可変アンプのゲインは大きくなる。従って、ゲイン可変アンプから２値化回路に送出される信号は、２値化回路が精度よく２値化を行うのに必要なレベルの信号となる。また、ゲイン制御部は、ＲＦ信号という１つの信号のレベル検出を行うのみで、上記した制御を行うことができる。このため、汚れの付着等が原因となって反射率が低下した箇所を再生するときにも、ＤＰＤ信号の信号品質の低下を防止することができる。また、反射率が低下した箇所を再生するときのＤＰＤ信号の信号品質の低下を防止するときにも、回路規模の増大を抑制することができる。
【００１６】
また本発明によれば、光ディスクの反射率の低い箇所を再生する場合、ゲイン可変アンプに入力される信号のレベルが小さくなるので、ゲイン可変アンプは、ゲインが大きくなるように制御される。従って、ゲイン可変アンプから２値化回路に送出される信号は、２値化回路が精度よく２値化を行うのに必要なレベルの信号となる。このため、汚れの付着等が原因となって反射率が低下した箇所を再生するときにも、ＤＰＤ信号の信号品質の低下を防止することができる。
【００１７】
また、さらに、対物レンズのシフトが生じ、ビームスポットがトラックからずれたことが原因となって、トラック軸を挟んで一方の側に位置する領域の出力レベルが小さくなったときでは、前記領域に対応するゲイン可変アンプのゲインが高くなるように制御される。このため、対物レンズのシフトが生じ、ビームスポットがトラックからずれたことが原因となって、トラック軸を挟んで一方の側に位置する領域の出力レベルが小さくなるときにも、ＤＰＤ信号の信号品質の低下を防止することができる。
【発明を実施するための最良の形態】
【００１８】
以下、本発明の実施の形態について図を参照して説明する。
【実施例１】
【００１９】
図２は、光ピックアップの光学系の構成を示す説明図である。
【００２０】
図において、レーザダイオード４１から照射されたレーザ光は、光学素子４２を介してハーフミラー４４に導かれ、反射される。ハーフミラー４４によって反射されたレーザ光は、光学素子４５を介して、打ち上げミラー４６に導かれ、上方向に反射される。上方向に反射されたレーザ光は、光学素子４７を介して対物レンズ４８に導かれ、ＤＶＤ（光ディスク）４９の情報記録面に集光される。
【００２１】
また、情報記録面によって反射されたレーザ光は、対物レンズ４８、光学素子４７、打ち上げミラー４６、光学素子４５、ハーフミラー４４、光学素子４３を介して、受光素子（ＰＤＩＣ）５に導かれる。なお、矢印５１はトラック方向を示しており、矢印５２はトラック方向と直交する方向を示している。
【００２２】
図１は、本発明に係るＤＰＤ信号生成装置の第１の実施形態の電気的構成を示すブロック線図であり、ＤＶＤプレイヤに使用されるようになっている。
【００２３】
受光素子５は、受光領域が光ディスクのトラック方向を示すトラック方向軸（矢印Ｔｒはトラック方向を示している）と、このトラック方向軸に直交する軸とによって、領域Ａ、領域Ｂ、領域Ｃ、領域Ｄの４つの領域に分割されている。ゲイン可変アンプ１Ａ〜１Ｄは、領域Ａ〜Ｄのそれぞれの出力信号を、ゲイン制御部４によって指示されたゲインでもって増幅し、２値化回路２Ａ〜２Ｄに出力する。２値化回路２Ａ〜２Ｄは、ゲイン可変アンプ１Ａ〜１Ｄから出力される信号を２値化した２値化信号を生成し、出力する。
【００２４】
第１の位相比較回路１１（図８に示す位相比較回路１１と同一である）は、領域Ａに対応する２値化信号と、領域Ｂに対応する２値化信号との位相差を検出する。すなわち、２値化回路２Ａから出力される２値化信号と、２値化回路２Ｂから出力される２値化信号との位相差を検出する。そして、検出結果を加算回路１３に送出する。第２の位相比較回路１２（図８に示す位相比較回路１２と同一である）は、領域Ｃに対応する２値化信号と、領域Ｄに対応する２値化信号との位相差を検出する。すなわち、２値化回路２Ｃから出力される２値化信号と、２値化回路２Ｄから出力される２値化信号との位相差を検出する。そして、検出結果を加算回路１３に送出する。
【００２５】
加算回路１３は、第１の位相比較回路１１の検出結果と第２の位相比較回路１２の検出結果とを加算し、加算結果をローパスフィルタ１４に出力する。ローパスフィルタ１４は、加算回路１３の出力から高周波成分を除去して得られたＤＰＤ信号を、トラッキングエラー信号として、図示されないサーボ制御部に送出する。
【００２６】
加算器３は、領域Ａ〜Ｄの出力の全てを加算することによってＲＦ信号を生成し、図示されない信号処理部に送出する。また、生成したＲＦ信号をゲイン制御部４に送出する。ゲイン制御部４は、ＲＦ信号のレベルに基づいてゲイン可変アンプ１Ａ〜１Ｄのゲインを制御する。詳細には、ＲＦ信号のレベルが小さくなるときには、ゲイン可変アンプ１Ａ〜１Ｄに入力される信号レベルが小さくなっているとして、ゲイン可変アンプ１Ａ〜１Ｄのゲインを高くする。より詳細には、ＲＦ信号のレベルをＮとすると、ゲイン可変アンプ１Ａ〜１ＤのゲインがＧ１／Ｎ（Ｇ１は定数）となるように、ゲイン可変アンプ１Ａ〜１Ｄのゲインを制御する。
【００２７】
上記構成からなる実施形態の動作について説明する。
【００２８】
ＤＶＤ４９の再生となるときには、ゲイン制御部４は、ゲイン可変アンプ１Ａ〜１Ｄのゲインを、ＲＦ信号のレベルＮに対応して定まるゲイン（Ｇ１／Ｎ）に設定する。従って、図３の７１に示したように、ＤＶＤ４９の情報記録面の反射率が高く、受光素子５の領域Ａ〜Ｄからの出力レベルが大きい場合には、ＲＦ信号のレベルが大きくなるので、ゲイン可変アンプ１Ａ〜１Ｄのゲインは低く設定される。このため、２値化回路２Ａ〜２Ｄに導かれる信号のレベルは、２値化回路２Ａ〜２Ｄが最も精度よく２値化を行うことのできるレベルＬとなる。
【００２９】
また、７２に示したように、ＤＶＤ４９の情報記録面の反射率が中程度なため、受光素子５の領域Ａ〜Ｄからの出力レベルが中程度となる場合には、ＲＦ信号のレベルも中程度となる。このため、ゲイン可変アンプ１Ａ〜１Ｄのゲインは中程度に設定される。その結果、２値化回路２Ａ〜２Ｄに導かれる信号のレベルは、２値化回路２Ａ〜２Ｄが最も精度よく２値化を行うことのできるレベルＬとなる。
【００３０】
また、７３に示したように、ＤＶＤ４９の情報記録面の反射率が低く、受光素子５の領域Ａ〜Ｄからの出力レベルが小さい場合には、ＲＦ信号のレベルも小さくなるので、ゲイン可変アンプ１Ａ〜１Ｄのゲインは高く設定される。このため、２値化回路２Ａ〜２Ｄに導かれる信号のレベルは、２値化回路２Ａ〜２Ｄが最も精度よく２値化を行うことのできるレベルＬとなる。
【００３１】
すなわち、ＤＶＤ４９の情報記録面の反射率が変化するときにも、反射率の変化に対応して、ゲイン可変アンプ１Ａ〜１Ｄのゲインが変化するので、２値化回路２Ａ〜２Ｄに入力される信号レベルは、２値化回路２Ａ〜２Ｄが最も精度よく２値化を行うことのできるレベルＬに維持される。
【００３２】
いま、ＤＶＤ４９の情報記録面の一部に指紋が付着したことから、指紋の付着箇所の反射率が低くなったとする。このようなＤＶＤ４９を再生する場合、図４に示したように、指紋が付着して反射率が低くなった部分を再生するときでは（期間ｔ１により示す）、ＲＦ信号のレベルが小さくなる。一方、ＲＦ信号のレベルが小さくなるときでは、ゲイン可変アンプ１Ａ〜１Ｄのゲインは、小さくなった比率の逆数分だけ大きくなる。従って、指紋が付着して反射率が低くなった部分を再生するとき（期間ｔ１により示す）でも、２値化回路２Ａ〜２Ｄに入力される信号レベルは、２値化回路２Ａ〜２Ｄが最も精度よく２値化を行うことが可能なレベルＬに維持される。このため、汚れの付着箇所においても安定したトラッキングが行われる。
【実施例２】
【００３３】
次に、本発明の第２の実施形態について説明する。
【００３４】
図５は、第２の実施形態の電気的構成を示すブロック線図であり、図１に示す構成と同一となるブロックには、図１における符号と同一符号を付与し、説明を省略する。なお、ＲＦ信号を生成するための加算器３も設けられているが、図５では図示が省略されている。
【００３５】
レベル検出回路６Ａ〜６Ｄは、ゲイン可変アンプ１Ａ〜１Ｄに入力される信号のレベルを検出し、検出結果に基づいて、ゲイン可変アンプ１Ａ〜１Ｄのゲインを設定する。すなわち、請求項記載のゲイン制御部は、レベル検出回路６Ａ〜６Ｄにより構成されるブロック７からなるとともに、ゲイン可変アンプ１Ａ〜１Ｄのそれぞれに入力される信号レベルに基づき、ゲイン可変アンプ１Ａ〜１Ｄのそれぞれのゲインを制御する。
【００３６】
詳細には、レベル検出回路６Ａは、領域Ａから出力される信号レベルが小さくなって、ゲイン可変アンプ１Ａに入力される信号レベルが小さくなるときには、ゲイン可変アンプ１Ａのゲインを大きくする。同様に、レベル検出回路６Ｂ〜６Ｄは、領域Ｂ〜Ｄから出力される信号レベルが小さくなって、ゲイン可変アンプ１Ｂ〜１Ｄに入力される信号レベルが小さくなるときには、ゲイン可変アンプ１Ｂ〜１Ｄのゲインを大きくする。
【００３７】
より詳細には、レベル検出回路６Ａ〜６Ｄは、領域Ａ〜Ｄから出力される信号レベルがＭとなるときには、ゲイン可変アンプ１Ａ〜１ＤのゲインをＧ２／Ｍ（Ｇ２は定数）に設定する。
【００３８】
上記構成からなる第２の実施形態の動作について説明する。
【００３９】
レベル検出回路６Ａ〜６Ｄは、対応する領域Ａ〜Ｄの出力の信号レベルが大きいときには、図６の８１に示したように、ゲイン可変アンプ１Ａ〜１Ｄのゲインを小さくする。このため、２値化回路２Ａ〜２Ｄに入力される信号レベルは、２値化回路２Ａ〜２Ｄが最も精度よく２値化を行うことのできるレベルＬとなる。
【００４０】
また、対応する領域Ａ〜Ｄの出力の信号レベルが中程度となるときには、８２に示したように、ゲイン可変アンプ１Ａ〜１Ｄのゲインを中程度とする。このため、２値化回路２Ａ〜２Ｄに入力される信号レベルは、２値化回路２Ａ〜２Ｄが最も精度よく２値化を行うことのできるレベルＬとなる。また、対応する領域Ａ〜Ｄの出力の信号レベルが小さくなるときには、８３に示したように、ゲイン可変アンプ１Ａ〜１Ｄのゲインを大きくする。このため、２値化回路２Ａ〜２Ｄに入力される信号レベルは、２値化回路２Ａ〜２Ｄが最も精度よく２値化を行うことのできるレベルＬとなる。
【００４１】
いま、情報記録面に指紋等の汚れが付着したＤＶＤ４９の再生を行うとする。このときでは、図７に示したように、再生位置が指紋が付着した箇所となるときでは（期間ｔ２により示す）、領域Ａ〜Ｄのそれぞれから出力される信号レベルが小さくなる。そのため、ゲイン可変アンプ１Ａ〜１Ｄのゲインが大きくなる。従って、２値化回路２Ａ〜２Ｄに入力される信号レベルは、指紋が付着して反射率が低くなった部分を再生するときでも、２値化回路２Ａ〜２Ｄが最も精度よく２値化を行うことが可能なレベルＬに維持される。このため、汚れが付着した箇所においても安定したトラッキングが行われる。
【００４２】
また、対物レンズ４８がシフトし、スポットがトラックの中心からずれたとする。このときでは、領域Ａ，Ｂ（または領域Ｃ，Ｄ）の出力レベルが小さくなり、領域Ｃ，Ｄ（または領域Ａ，Ｂ）の出力レベルが大きくなる（このような事態が生じるときのＲＦ信号のレベルは、スポットがトラックの中心からずれなかったときのＲＦ信号のレベルと略同一のレベルとなっている）。
【００４３】
上記した事態が生じる場合、領域Ａの出力を増幅するゲイン可変アンプ１Ａのゲインと、領域Ｂの出力を増幅するゲイン可変アンプ１Ｂのゲインとは大きくなるように設定され、領域Ｃの出力を増幅するゲイン可変アンプ１Ｃのゲインと、領域Ｄの出力を増幅するゲイン可変アンプ１Ｄのゲインとは小さくなるように設定される。
【００４４】
従って、ＲＦ信号のレベルが略一定で変化せず、領域Ａ，Ｂ（または領域Ｃ，Ｄ）の出力レベルが小さくなり、領域Ｃ，Ｄ（または領域Ａ，Ｂ）の出力レベルが大きくなるような場合でも、２値化回路２Ａ〜２Ｄのそれぞれに入力される信号レベルは、２値化回路２Ａ〜２Ｄが最も精度よく２値化を行うことが可能なレベルＬに維持される。このため、対物レンズ４８がシフトして、スポットがトラック中心からずれる事態が生じるときにも、安定したトラッキングが行われる。
【００４５】
なお、本発明は上記実施形態に限定されず、ゲイン制御部４，７については、ゲイン可変アンプ１Ａ〜１Ｄに入力される信号レベルが変化するときにも、ゲイン可変アンプ１Ａ〜１Ｄから出力される信号レベルが一定となるように制御する構成とした場合について説明したが、ゲイン可変アンプ１Ａ〜１Ｄに入力される信号レベルが変化するときにも、ゲイン可変アンプ１Ａ〜１Ｄから出力される信号レベルが一定となるように制御する必要はなく、汚れ等によってＤＶＤ４９の情報記録面の反射率が低くなり、受光素子５の出力レベルが小さくなるときにも、２値化回路２Ａ〜２Ｄに入力される信号レベルを、２値化回路２Ａ〜２Ｄが精度よく２値化を行うことのできるレベルに維持できればよい。このため、ゲイン制御部４，７の構成を、ゲイン可変アンプ１Ａ〜１Ｄから出力される信号レベルの変化率が、入力される信号レベルの変化率の数分の１程度に抑制されるように制御する構成とすることもできる。
【００４６】
また、ＤＶＤプレイヤに適用した場合について説明したが、ＤＶＤ等の光ディスクに情報を記録する機能を併せ持つ装置の場合にも、同様に適用することができる。
【図面の簡単な説明】
【００４７】
【図１】本発明に係るＤＰＤ信号生成装置の第１の実施形態の電気的構成を示すブロック線図である。
【図２】光ピックアップの光学系の構成を示す説明図である。
【図３】情報記録面の反射率とゲイン可変アンプのゲインと２値化回路の入力レベルとの関係を示す説明図である。
【図４】汚れが付着した箇所を再生するときの情報記録面の反射率とゲイン可変アンプのゲインと２値化回路の入力レベルとの関係を示す説明図である。
【図５】第２の実施形態の電気的構成を示すブロック線図である。
【図６】情報記録面の反射率とゲイン可変アンプのゲインと２値化回路の入力レベルとの関係を示す説明図である。
【図７】汚れが付着した箇所を再生するときの情報記録面の反射率とゲイン可変アンプのゲインと２値化回路の入力レベルとの関係を示す説明図である。
【図８】従来技術の電気的構成を示すブロック線図である。
【図９】従来技術の電気的構成を示すブロック線図である。
【符号の説明】
【００４８】
１Ａ〜１Ｄ  ゲイン可変アンプ
２Ａ〜２Ｄ  ２値化回路
３  加算器
４，７  ゲイン制御部
５  受光素子
１１  第１の位相比較回路
１２  第２の位相比較回路
１３  加算回路
４９  ＤＶＤ（光ディスク）
Ｔｒ  トラック方向
【図１】
2007018640.tif 000003
【図２】
2007018640.tif 000004
【図３】
2007018640.tif 000005
【図４】
2007018640.tif 000006
【図５】
2007018640.tif 000007
【図６】
2007018640.tif 000008
【図７】
2007018640.tif 000009
【図８】
2007018640.tif 000010
【図９】
2007018640.tif 000011